【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
光を光電変換して電荷を生成する第１の光電変換部と第２の光電変換部とを有する第１の画素と、
前記第１の光電変換部で生成された電荷に基づく信号を出力する第１の信号線と、
前記第２の光電変換部で生成された電荷に基づく信号を出力する第２の信号線と、
前記第１の信号線と前記第２の信号線とがそれぞれ接続され、前記第１の光電変換部で生成された電荷に基づく信号と前記第２の光電変換部で生成された電荷に基づく信号とを加算する加算部と、
を備える撮像素子。
【請求項２】
請求項１に記載の撮像素子において、
前記第１の信号線が接続され、前記第１の光電変換部で生成された電荷に基づくアナログ信号をデジタル信号に変換する第１のＡ／Ｄ変換部と、
前記第２の信号線が接続され、前記第２の光電変換部で生成された電荷に基づくアナログ信号をデジタル信号に変換する第２のＡ／Ｄ変換部と、
を備える撮像素子。
【請求項３】
請求項２に記載の撮像素子において、
前記加算部は、前記第１のＡ／Ｄ変換部で変換されたデジタル信号と前記第２のＡ／Ｄ変換部で変換されたデジタル信号とを加算する撮像素子。
【請求項４】
請求項１に記載の撮像素子において、
前記第１の信号線と前記第２の信号線とがそれぞれ接続され、前記第１の光電変換部で生成された電荷に基づくアナログ信号を第１のデジタル信号に変換し、前記第２の光電変換部で生成された電荷に基づくアナログ信号を第２のデジタル信号に変換するＡ／Ｄ変換部と、
を備える撮像素子。
【請求項５】
請求項４に記載の撮像素子において、
前記加算部は、前記第１のデジタル信号と前記第２のデジタル信号とを加算する撮像素子。
【請求項６】
請求項１から５のいずれか１項に記載の撮像素子において、
前記第１の信号線が接続され、前記第１の光電変換部で生成された電荷に基づく信号を記憶する第１の記憶部と、
前記第２の信号線が接続され、前記第２の光電変換部で生成された電荷に基づく信号を記憶する第２の記憶部と、
を備える撮像素子。
【請求項７】
請求項１から６のいずれか１項に記載の撮像素子において、
前記第１の光電変換部で生成された電荷に基づく信号および前記第２の光電変換部で生成された電荷に基づく信号の少なくとも１方を出力する第１の出力線を備える撮像素子。
【請求項８】
光を光電変換して電荷を生成する第１の光電変換部と第２の光電変換部とを有する第１の画素と、
前記第１の光電変換部で生成された電荷に基づく信号を出力する第１の信号線と、
前記第２の光電変換部で生成された電荷に基づく信号を出力する第２の信号線と、
前記第１の信号線と前記第２の信号線とがそれぞれ接続され、前記第１の信号線で出力される信号と前記第２の信号線で出力される信号とを加算する加算部と、
を備える撮像素子。
【請求項９】
請求項８に記載の撮像素子において、
前記第１の光電変換部で生成された電荷に基づくアナログ信号をデジタル信号に変換する第１のＡ／Ｄ変換部と、
前記第２の光電変換部で生成された電荷に基づくアナログ信号をデジタル信号に変換する第２のＡ／Ｄ変換部と、を備え、
前記第１の信号線は、前記第１のＡ／Ｄ変換部で変換されたデジタル信号を出力し、
前記第２の信号線は、前記第２のＡ／Ｄ変換部で変換されたデジタル信号を出力する撮像素子。
【請求項１０】
請求項８に記載の撮像素子において、
前記第１の信号線と前記第２の信号線とがそれぞれ接続され、前記第１の光電変換部で生成された電荷に基づくアナログ信号を第１のデジタル信号に変換し、前記第２の光電変換部で生成された電荷に基づくアナログ信号を第２のデジタル信号に変換するＡ／Ｄ変換部と、
を備える撮像素子。
【請求項１１】
請求項１０に記載の撮像素子において、
前記加算部は、前記第１のデジタル信号と前記第２のデジタル信号とを加算する撮像素子。
【請求項１２】
請求項８から１１のいずれか１項に記載の撮像素子において、
請求項に記載の撮像素子において、
前記第１の信号線で出力される信号を記憶する第１の記憶部と、
前記第２の信号線で出力される信号を記憶する第２の記憶部と、
を備える撮像素子。
【請求項１３】
請求項８から１２のいずれか１項に記載の撮像素子において、
前記第１の信号線で出力される信号および前記第２の信号線で出力される信号の少なくとも１方を出力する第１の出力線を備える撮像素子。
【請求項１４】
光を光電変換して電荷を生成する第１の光電変換部と第２の光電変換部とを有する第１の画素と、
前記第１の光電変換部で生成された電荷に基づく第１の信号を出力する第１の信号線と、
前記第２の光電変換部で生成された電荷に基づく第２の信号を出力する第２の信号線と、
前記第１の信号線と前記第２の信号線とがそれぞれ接続され、前記第１の信号と前記第２の信号とを加算する加算部と、
を備える撮像素子。
【請求項１５】
請求項１４に記載の撮像素子において、
前記第１の信号線が接続され、前記第１の光電変換部で生成された電荷に基づくアナログ信号をデジタル信号に変換して前記第１の信号を出力する第１のＡ／Ｄ変換部と、
前記第２の信号線が接続され、前記第２の光電変換部で生成された電荷に基づくアナログ信号をデジタル信号に変換して前記第２の信号を出力する第１のＡ／Ｄ変換部と、
を備える撮像素子。
【請求項１６】
請求項１４に記載の撮像素子において、
前記第１の信号線と前記第２の信号線とがそれぞれ接続され、前記第１の光電変換部で生成された電荷に基づくアナログ信号をデジタル信号に変換して前記第１の信号を出力し、前記第２の光電変換部で生成された電荷に基づくアナログ信号をデジタル信号に変換して前記第２の信号を出力するＡ／Ｄ変換部を備える撮像素子。
【請求項１７】
請求項１４から１６のいずれか１項に記載の撮像素子において、
請求項に記載の撮像素子において、
前記第１の信号を記憶する第１の記憶部と、
前記第２の信号を記憶する第２の記憶部と、
を備える撮像素子。
【請求項１８】
請求項１４から１７のいずれか１項に記載の撮像素子において、
前記第１の信号および前記第２の信号の少なくとも１方を出力する第１の出力線を備える撮像素子。
【請求項１９】
請求項１から１８のいずれか１項に記載の撮像素子において、
前記加算部で加算された信号を記憶する第３の記憶部を備える撮像素子。
【請求項２０】
請求項１から１９のいずれか１項に記載の撮像素子において、
前記加算部で加算された信号を出力する第２の出力線を備える撮像素子。
【請求項２１】
請求項１から２０のいずれか１項に記載の撮像素子において、
前記第１の画素は、マイクロレンズを有し、
第１の光電変換部と第２の光電変換部とは、前記マイクロレンズを透過した光を電荷に変換する撮像素子。
【請求項２２】
請求項１から２１のいずれか１項に記載の撮像素子において、
複数の前記第１の画素を有し、
一部の前記第１の画素は、第１の方向に前記第１の光電変換部と前記第２の光電変換部とが配置され、
他の前記第１の画素は、前記第１の方向と交差する第２の方向に前記第１の光電変換部と前記第２の光電変換部とが配置される撮像素子。
【請求項２３】
請求項１から２２のいずれか１項に記載の撮像素子と、
前記加算部で加算された信号に基づいて画像データを生成する生成部を備える撮像装置。
【手続補正２】
【補正対象書類名】明細書
【補正対象項目名】０００５
【補正方法】変更
【補正の内容】
【０００５】
（１）請求項１に記載の撮像素子は、光を光電変換して電荷を生成する第１の光電変換部と第２の光電変換部とを有する第１の画素と、前記第１の光電変換部で生成された電荷に基づく信号を出力する第１の信号線と、前記第２の光電変換部で生成された電荷に基づく信号を出力する第２の信号線と、前記第１の信号線と前記第２の信号線とがそれぞれ接続  され、前記第１の光電変換部で生成された電荷に基づく信号と前記第２の光電変換部で生成された電荷に基づく信号とを加算する加算部と、を備える。
（２）請求項８に記載の撮像素子は、光を光電変換して電荷を生成する第１の光電変換部と第２の光電変換部とを有する第１の画素と、前記第１の光電変換部で生成された電荷に基づく信号を出力する第１の信号線と、前記第２の光電変換部で生成された電荷に基づく信号を出力する第２の信号線と、前記第１の信号線と前記第２の信号線とがそれぞれ接続され、前記第１の信号線で出力される信号と前記第２の信号線で出力される信号とを加算する加算部と、を備える。
（３）請求項１４に記載の撮像素子は、光を光電変換して電荷を生成する第１の光電変換部と第２の光電変換部とを有する第１の画素と、前記第１の光電変換部で生成された電荷に基づく第１の信号を出力する第１の信号線と、前記第２の光電変換部で生成された電荷に基づく第２の信号を出力する第２の信号線と、前記第１の信号線と前記第２の信号線とがそれぞれ接続され、前記第１の信号と前記第２の信号とを加算する加算部と、を備える。